(57)【要約】      （修正有）【課題】包装箱に収納された商品がその陳列場所において陳列されていることをその商品の陳列場所（例えば、お店）を訪れた者に強く知らせることができる包装箱を提供する。【解決手段】内箱部Ａ１の正面部１０に、側面部２０から連設された連結部１４ａと、表示部本体１４ｂ，１４ｃと、係止部１４ｄとを設け、係止部１４ｄを本体部１２の正面視右側端部に係止させて表示部本体１４ｂ，１４ｃが並んだ状態で正面側に突出させる。片部１２６を外側に回動させて、分離部２４，３４を内箱部Ａ１から分離して外箱部Ａ２を上方に引き上げるのみで陳列することができるので、陳列作業を容易に行なうことができる。また、突出表示部１４を商品に関連した形状にするか又は商品の広告を表示することにより、包装箱Ａに収納された商品を訪れた者に強く知らせることができる。【選択図】図３
0003147086.tif 000002
【実用新案登録請求の範囲】
【請求項１】
包装箱であって、
略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部とミシン目を有する切目線を介して分離可能に形成され、１枚のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域が該外側側面部の他の部分から破断可能に形成され、１枚のブランクにより形成された外箱部と、
を有し、
外側側面部における分離部が接着された領域が破断することにより、分離部が外側側面部に接着した状態のまま内箱部から分離し、
該内側正面部が、底面部と内側側面部から連設された内側正面部本体部と、該内側正面部本体部の上側にミシン目を有する切目線を介して連設されるとともに、内側側面部のいずれか一方から連設され該内側側面部との間の折れ線を中心に水平方向に回動可能な突出表示部で、突出表示部に垂直方向に形成された第２折れ線を介して２つ折りとし、突出表示部の内側側面部と接続された側と反対側の先端を内側正面部本体部に係止させることにより正面側に突出した状態となる突出表示部と、を有することを特徴とする包装箱。
【請求項２】
上記突出表示部が、第１表示部本体と、第１表示部本体から上記第２折れ線を介して連設され、該第２折れ線を介して対称形状に形成された第２表示部本体と、第１表示部本体と内側側面部とを連設する連結部と、第２表示部本体の第１表示部本体側とは反対側の端部から連設された係止部とを有し、係止部が内側正面部本体部に係止することを特徴とする請求項１に記載の包装箱。
【請求項３】
第１表示部本体と第２表示部本体とが、収納される商品と関連する形状に形成されていることを特徴とする請求項２に記載の包装箱。
【請求項４】
内側正面部本体部の上端には、突出表示部の先端が係止するための切欠部が形成されていることを特徴とする請求項１又は２又は３に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、複数の商品を集合して包装するとともに、店頭等に陳列する包装箱として、出願人は、特許文献１の包装箱について出願をしている。すなわち、特許文献１は、包装箱であって、底面部と、底面部の各辺から立設し底面部に対して略直角をなす複数の内側側面部からなる内側スリーブ状部とを有し、上部が開口した内箱部で、少なくとも２つの内側側面部において、内側側面部の上端の領域の一部が分離部として他の部分とミシン目を有する切目線を介して分離可能に形成された内箱部と、内箱部を覆う外箱部で、内箱部の内側スリーブ状部を構成する各内側側面部に対応して各内側側面部の外側の面に沿って設けられた外側側面部を有する外側スリーブ状部と、複数の外側側面部における少なくとも１つから連設された蓋部とを有し、内箱部における分離部が設けられた内側側面部に対応した外側側面部には、略コ字状の切込みが、該略コ字状の切込みにより形成された片部が水平方向に回動可能となるように形成され、該片部の内側の面が分離部と接着されている外箱部と、を有し、該略コ字状の切込みにより形成される片部を水平方向に外側に回動させることにより、分離部が片部に接着した状態のまま内箱部から分離することを特徴とするものである。
【０００３】
また、出願人は、特許文献２、特許文献３に記載の先行技術文献を知得している。
【特許文献１】実用新案登録第３１３９９４８号公報
【特許文献２】特開２００３−１２８０５１号公報
【特許文献３】特開２００３−１２８０５２号公報
【考案の開示】
【考案が解決しようとする課題】
【０００４】
しかし、上記のような包装箱において、包装箱に収納された商品がその陳列場所において陳列されていることをその商品の陳列場所（例えば、お店）を訪れた者に強く知らせることができるものが望まれていた。
【０００５】
そこで、本考案は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、包装箱に収納された商品がその陳列場所において陳列されていることをその商品の陳列場所（例えば、お店）を訪れた者に強く知らせることができるものを提供することを目的とする。
【課題を解決するための手段】
【０００６】
本考案は上記問題点を解決するために創作されたものであって、第１には、包装箱であって、略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部とミシン目を有する切目線を介して分離可能に形成され、１枚のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域が該外側側面部の他の部分から破断可能に形成され、１枚のブランクにより形成された外箱部と、を有し、外側側面部における分離部が接着された領域が破断することにより、分離部が外側側面部に接着した状態のまま内箱部から分離し、該内側正面部が、底面部と内側側面部から連設された内側正面部本体部と、該内側正面部本体部の上側にミシン目を有する切目線を介して連設されるとともに、内側側面部のいずれか一方から連設され該内側側面部との間の折れ線を中心に水平方向に回動可能な突出表示部で、突出表示部に垂直方向に形成された第２折れ線を介して２つ折りとし、突出表示部の内側側面部と接続された側と反対側の先端を内側正面部本体部に係止させることにより正面側に突出した状態となる突出表示部と、を有することを特徴とする。
【０００７】
この第１の構成の包装箱においては、蓋部を開けた状態として、包装箱の上方から複数の被収納物（商品）を内箱部内に収納する。その後、蓋部を閉状態にして、接着テープにより蓋部を封止する。つまり、外箱部の外側正面部から上面を経て外側背面部側にまで接着テープを貼り付けることにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、外側側面部における分離部が接着された領域を破断することにより、分離部が外側側面部に接着した状態のまま内箱部から分離させ、外箱部を上方に引き上げることにより、被収納物を収納した状態で、かつ、分離部が分離した状態の内箱部が残るので、被収納物を内箱部に収納した状態で被収納物を陳列する。また、突出表示部を２つ折りとして正面側に突出させる。
【０００８】
よって、包装箱に対して上方から被収納物である商品を収納して、蓋部を閉じて封止するのみであるので、容易に被収納物（商品）の梱包作業を行うことができ、また、片部を外側に回動させて、分離部を内箱部から分離して外箱部を上方に引き上げるのみで陳列することができるので、陳列作業を容易に行なうことができる。また、突出表示部を商品に関連した形状にするか又は商品の広告を表示することにより、包装箱に収納された商品がその陳列場所において陳列されていることをその商品の陳列場所（例えば、お店）を訪れた者に強く知らせることができる。
【０００９】
また、第２には、上記第１の構成において、上記突出表示部が、第１表示部本体と、第１表示部本体から上記第２折れ線を介して連設され、該第２折れ線を介して対称形状に形成された第２表示部本体と、第１表示部本体と内側側面部とを連設する連結部と、第２表示部本体の第１表示部本体側とは反対側の端部から連設された係止部とを有し、係止部が内側正面部本体部に係止することを特徴とする。
【００１０】
第１表示部本体と第２表示部本体とを商品に関連した形状にするか又は第１表示部本体と第２表示部本体に商品の広告を表示することにより、包装箱に収納された商品がその陳列場所において陳列されていることをその商品の陳列場所（例えば、お店）を訪れた者に強く知らせることができる。
【００１１】
また、第３には、上記第２の構成において、第１表示部本体と第２表示部本体とが、収納される商品と関連する形状に形成されていることを特徴とする。
【００１２】
また、第４には、上記第１から第３までのいずれかの構成において、内側正面部本体部の上端には、突出部表示部の先端が係止するための切欠部が形成されていることを特徴とする。
【考案の効果】
【００１３】
本考案に基づく包装箱によれば、包装箱に対して上方から被収納物である商品を収納して、蓋部を閉じて封止するのみであるので、容易に被収納物（商品）の梱包作業を行うことができ、また、片部を外側に回動させて、分離部を内箱部から分離して外箱部を上方に引き上げるのみで陳列することができるので、陳列作業を容易に行なうことができる。また、突出表示部を商品に関連した形状にするか又は商品の広告を表示することにより、包装箱に収納された商品がその陳列場所において陳列されていることをその商品の陳列場所（例えば、お店）を訪れた者に強く知らせることができる。
【考案を実施するための最良の形態】
【００１４】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、包装箱に収納された商品がその陳列場所において陳列されていることをその商品の陳列場所（例えば、お店）を訪れた者に強く知らせることができるものを提供するという目的を以下のようにして実現した。
【００１５】
本考案に基づく包装箱Ａは、図１〜図８等に示すように構成され、図１、図３、図４、図１０、図１３等に示すように、内箱部Ａ１と、外箱部Ａ２とを有していて、それぞれが１枚のシート状のブランク（具体的には、段ボール、厚紙等）により形成されている。
【００１６】
内箱部Ａ１は、全体に上部が開口した容器状を呈し、図３、図６等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図６に示すように形成されている。
【００１７】
ここで、正面部１０は、内箱部Ａ１の正面の基部を形成する本体部（内側正面部本体部）１２と、本体部１２の上側にミシン目を有する切目線を介して形成された突出表示部１４とを有している。
【００１８】
ここで、本体部１２は、その下辺と下辺の両側から立設した側辺とは直線状に形成され、一対の側辺は下辺と直角をなしている。また、本体部１２の上辺は、突出表示部１４の下辺の形状に応じて凹凸に形成されている。
【００１９】
また、突出表示部１４は、本体部１２の上側にミシン目を有する切目線Ｍを介して形成されていて、正面視で右端に形成された連結部１４ａと、該連結部１４ａの正面視左端から連設された表示部本体（第１表示部本体）１４ｂと、該表示部本体１４ｂの正面視左端から連設された表示部本体（第２表示部本体）１４ｃと、該表示部本体１４ｃの正面視左端から連設された係止部１４ｄとを有している。
【００２０】
ここで、連結部１４ａは、側面部２０の正面側の端部から折れ線を介して連設され、略方形状を呈している。つまり、連結部１４ａの上辺は水平の直線状を呈し、下辺は、水平の直線状を呈する直線状部１４ａ−１と、側面部２０側の端部において下方に傾斜した直線状である傾斜部１４ａ−２を有していて、連結部１４ａは、側面部２０との境界位置では三角形状に突出した形状を呈している。つまり、連結部１４ａの側面部２０側の端部の下端には、三角形状（連結部１４ａの直線状の下辺と側面部２０との境界線と左上から右下に傾斜した辺部により形成された三角形状）の突出部が形成されている。すなわち、本体部１２における連結部１４ａの下側の領域においては、側面部２０側の端部の上端が斜めに欠切されて切欠部が形成された形状を呈している。この連結部１４ａは、表示部本体１４ｂと側面部２０（特に、本体部２２）とを連結している。
【００２１】
また、表示部本体１４ｂは、連結部１４ａの側面部２０側とは反対側の端部から連設され、包装箱Ａに収納される商品に関連した形状を呈している。図の例では、ボトルの形状を呈している。なお、連結部１４ａと表示部本体１４ｂの接続位置の下側はアール状に形成されている。
【００２２】
また、表示部本体１４ｃは、表示部本体１４ｂの連結部１４ａ側とは反対側の端部から折れ線１５を介して連設され、表示部本体１４ｂと対称の形状をなしている。図の例では、ボトルの形状を呈している。
【００２３】
また、係止部１４ｄは、略方形状を呈し、具体的には、方形状の下辺の表示部本体１４ｃ側の領域を略帯状に欠切した形状をなし、先端の下側に突出した突状部１４ｄ−１を形成した形状を呈している。この突状部１４ｄ−１は本体部１２の側面部２０側の端部に形成された切欠部に係止することにより、係止部１４ｄが本体部１２に係止するように構成されている。つまり、突出表示部１４を折れ線１５を介して折曲して２つ折りとして正面側に突出させる際に、係止部１４ｄを本体部１２に係止させる。
【００２４】
なお、突出表示部１４の上端は、側面部２０、３０の上端（最も高い位置の上端）や背面部４０の上端よりも低く形成されている。
【００２５】
正面部１０は、突出表示部１４を正面側に突出させる前の状態では、平板状を呈している。また、突出表示部１４と本体部１２との間の切目線Ｍを破断することにより、突出表示部１４は、側面部２０との間の折れ線を中心に水平方向に回動する。
【００２６】
なお、表示部本体１４ｂ、１４ｃは、包装箱Ａに収納される商品に関連した形状を呈しているとしたが、商品に関連した形状でなくても表示部本体１４ｂ、１４ｃに商品の広告を表示させるようにしてもよい。また、突出表示部１４は、側面部２０から連設されているとしたが、側面部３０から連設されていてもよい。
【００２７】
また、側面部２０は、正面部１０の正面視における右側の端部から折れ線を介して連設され（つまり、本体部１２及び突出表示部１４と折れ線を介して連設されている）、方形状における上側の一部を切り欠いた形状を呈し、その上端の縁部は、凹凸形状に形成され、背面側の端部においては、背面部４０の上端の縁部の高さと同じに形成されている。この側面部２０は、本体部２２と、分離部２４とを有している。
【００２８】
ここで、側面部２０の上端の領域の一部にミシン目Ｋ２と切込みＫ４とからなる境界線で区画することにより分離部２４が形成されている。本体部２２は、側面部２０における分離部２４を除いた領域となる。
【００２９】
すなわち、ミシン目Ｋ２は、横方向（略水平方向）に略円弧状に形成され、切込みＫ４は、ミシン目Ｋ２の背面側の端部から垂直方向（つまり、水平方向（側面部２０の下辺の方向）に直角の方向）に直線状に形成されている。つまり、分離部２４は、側面部２０の上端の領域の一部、すなわち、正面部側の端部から背面部側の端部にまでの上端の縁部に接する領域に形成され、本体部２２とミシン目Ｋ２を介して分離可能に形成されている。
【００３０】
分離部２４は、正面側と上面側と背面側が直線状に形成され、下面側が円弧状に形成されるとともに、背面側の上端に略直角三角形状の切欠部が形成されていて、全体に略方形状の下端に円弧状の切欠部が形成された形状となっている。分離部２４の上辺は水平方向に形成され、正面側と背面側の辺部は垂直方向に形成されている。つまり、分離部２４の下辺はミシン目Ｋ２により形成され、分離部２４の背面側の辺部は切込みＫ４により形成されている。
【００３１】
分離部２４の形状は、外箱部Ａ２の側面の片部１２６を外側に回動させることにより、分離部２４を本体部２２から分離し、その後、外箱部Ａ２を上方に引き上げる際に支障とならないように形成されている。つまり、分離された分離部２４が本体部２２に対して上方に移動する際に支障とならないように、分離部２４は、側面部２０の上端の領域の一部、すなわち、側面部２０の正面側の端部から背面側の端部までの上端の縁部に接する領域の一部に設けられ、ミシン目Ｋ２や切込みＫ４は水平方向（側面部２０の下辺の方向）に対して９０度以下に形成されている。例えば、図７に示すように、ミシン目Ｋ２の水平方向に対する角度α１、α２は９０度以下に形成され（特に、α２はマイナスの角度である）、また、切込みＫ４の水平方向に対する角度α３も９０度以下に形成されている。仮に、切込みＫ４の角度が９０度よりも大きくなってしまうと、分離部２４を本体部２２に対して上方に移動させる際に、本体部２２が支障となってしまうが、本実施例の場合にはそのようなおそれがない。
【００３２】
本体部２２は、側面部２０における分離部２４以外の部分であり、全体に略Ｌ字状を呈し、その屈曲部の内側に分離部２４が形成されているといえる。
【００３３】
この分離部２４の形成位置は、外箱部Ａ２の片部１２６の裏側の領域であり、分離部２４は片部１２６の裏側に接着され、片部１２６を外側に回動させることにより、分離部２４も片部１２６の裏側に接着したままミシン目Ｋ２が破断されて、分離部２４が本体部２２から分離するように形成されている。分離部２４は、片部１２６よりも小さく形成されていて、分離部２４の外形が片部１２６の外形よりもはみだすことがない。なお、分離部２４と本体部２２との境界をなすミシン目Ｋ２と切込みＫ４は、上記切目線となる。
【００３４】
また、側面部３０は、正面部１０の正面視における左側の端部から折れ線を介して連設され、方形状における上側の一部を切り欠いた形状を呈し、その上端の縁部は、凹凸形状に形成され、背面側の端部においては、背面部４０の上端の縁部の高さと同じに形成されている。この側面部３０は、本体部３２と、分離部３４とを有している。この側面部３０の構成は、側面部２０と前後方向に垂直な仮想的な平面である中心面を介して対称に形成されていて、本体部３２は本体部２２と対称（展開状態では線対称）に形成され、分離部３４は分離部２４と対称（展開状態では線対称）に形成されていることから詳しい説明を省略する。
【００３５】
なお、側面部３０の上端の領域の一部にミシン目Ｋ６と切込みＫ８とからなる境界線で区画することにより分離部３４が形成される。
【００３６】
また、分離部３４の形成位置は、外箱部Ａ２の片部１３６の裏側の領域であり、分離部３４は片部１３６の裏側に接着され、片部１３６を外側に回動させることにより、分離部３４も片部１３６の裏側に接着したままミシン目Ｋ６が破断されて、分離部３４が本体部３２から分離するように形成されている。なお、分離部３４と本体部３２との境界をなすミシン目Ｋ６と切込みＫ８は、上記切目線となる。
【００３７】
また、背面部４０は、側面部２０の右側面視における右端から折れ線を介して連設され、方形状（長方形状）を呈している。この背面部４０の横幅は、正面部の横幅と同一に形成され、背面部４０の縦幅は、側面部２０、３０の縦幅（最大縦幅）と同一に形成されている。
【００３８】
また、糊代部４２は、側面部３０の左側面視における左端から折れ線を介して連設され、縦方向に細長の帯状台形形状を呈している。この糊代部４２は、図３に示すように、その外側の面が背面部４０の内側の面に接着されている。
【００３９】
また、底面部５０は、接続片部６０と、本体部７０と、副体部８０と、接続片部９０とを有し、包装箱Ａの組立て状態においては、図５に示すように、略方形状を呈している。ここで、接続片部６０は、正面部１０の下端から折れ線を介して連設され、先端側にいくほど幅狭となる略台形形状に形成されている。また、本体部７０は、側面部２０の下端から折れ線を介して連設され、略長方形状に形成され、本体部７０のその上面が内箱部Ａ１の内底面を形成している。また、本体部７０の角部（側面部２０と背面部４０の境界位置の角部）からは本体部７０の側面部２０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａ１を折り畳む際に、容易に折り畳むことができるようになっている。本体部７０は、折れ線７０−１を介して本体部本体７２と先端部７４とに区画される。
【００４０】
また、副体部８０は、側面部３０の下端から折れ線を介して連設され、細長の長方形状の長手方向の一方の端部において側面部３０との境界線とは反対側に略台形状に突出させた形状を呈し、副体部８０の角部（側面部３０と正面部１０の境界位置の角部）からは副体部８０の側面部３０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、この折れ線８０−１を介して先端側が先端部８４を構成し、折れ線８０−１を介して基端側が基端部８２を構成する。この先端部８４は、図５に示すように、その上面側が、先端部８４の辺部８４ａが正面部１０と接続片部６０の境界線に対して平行になるように、接続片部６０の下面に接着されている。
【００４１】
また、接続片部９０は、背面部４０の下端から折れ線を介して連設され、略台形形状を呈し、この接続片部９０の角部（側面部２０と背面部４０の境界位置の角部）からは接続片部９０の背面部４０との境界をなす辺部に対して斜めに所定間隔で切込みが形成された（つまり、折曲しやすいように切込みが形成されている）折れ線９０−１（この折れ線９０−１は、上面側が山折れ線となっている）が形成され、この折れ線９０−１を介して先端側が先端部９４を構成し、折れ線９０−１を介して基端側が基端部９２を構成する。この先端部９４は、図５に示すように、その上面側が、先端部９４の辺部９４ａが側面部２０と本体部７０の境界線に対して平行になるように、本体部７０（特に、本体部本体７２）の下面に接着されている。
【００４２】
内箱部Ａ１を箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部３０との角度を小さくし、背面部４０と側面部２０との角度を小さくさせるとともに、本体部７０を上方に回動させて本体部７０が側面部２０に対して略平行になるようにすることにより、図１０に示すように、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００４３】
また、正面部１０における突出表示部１４を２つ折りにして正面側に突出させることができる。詳しくは後述する。
【００４４】
次に、外箱部Ａ２は、内箱部Ａ１を覆う箱体であり、図１〜図４、図８等に示すように、スリーブ状部（外側スリーブ状部）１０５と、上面部１６０、１７０、１８０、１９０とを有していて、その展開状態は、図８に示すように形成されている。
【００４５】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００４６】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。
【００４７】
また、側面部１２０は、正面部１１０の正面視における右側の端部から折れ線Ｋ１２を介して連設され、方形状を呈し、切込み１２２と切込み１２４ａ、１２４ｂが形成されている。
【００４８】
ここで、切込み１２２は、略コ字状を呈し、横方向（側面部１２０の下辺と略平行な方向）に形成された直線状の第１切込み１２２ａと、第１切込み１２２ａの端部（右側面視における左側の端部）から下側に向けて縦方向（側面部１２０の下辺と略直角な方向）に形成された直線状の第２切込み１２２ｂと、第２切込み１２２ｂの下端から横方向で第１切込み１２２ａに対して平行に形成された直線状の第３切込み１２２ｃにより、全体に略コ字状に形成されている。つまり、第２切込み１２２ｂは、第１切込み１２２ａと第３切込み１２２ｃに対して直角に形成されている。また、第１切込み１２２ａの長さと第３切込み１２２ｃの長さは同一に形成されている。この第１切込み１２２ａと第３切込み１２２ｃ間の幅は、内箱部Ａ１の分離部２４の縦方向の幅よりも大きく形成され、また、第１切込み１２２ａや第３切込み１２２ｃの長さは、分離部２４の横方向の幅よりも大きく形成されている。以上のように、切込み１２２と、第１切込み１２２ａ及び第３切込み１２２ｃの第２切込み１２２ｂ側とは反対側の端部間を結ぶ仮想状の直線により囲まれた領域が、片部１２６となる。
【００４９】
また、第２切込み１２２ｂの上端から下端に向けての途中位置には、第１切込み１２２ａや第３切込み１２２ｃが設けられている側とは反対側に、横方向に互いに平行な切込み１２４ａ、１２４ｂが形成されている。つまり、切込み１２４ａと切込み１２４ｂは、互いに平行に形成され、第１切込み１２２ａや第３切込み１２２ｃと平行に形成されている。また、切込み１２４ａは、第１切込み１２２ａよりも下側に形成され、切込み１２４ｂは、第３切込み１２２ｃよりも上側に形成されている。以上のように、切込み１２４ａと、切込み１２４ｂと、第２切込み１２２ｂと、切込み１２４ａ及び切込み１２４ｂの第２切込み１２２ｂ側とは反対側の端部間を結ぶ仮想状の直線によりにより囲まれた領域が、片部１２８となる。この側面部１２０の横幅は、内箱部Ａ１を外箱部Ａ２内に収納することができるように、側面部２０の横幅よりも若干大きく形成されている。
【００５０】
なお、正面部１１０と側面部１２０の境界位置には、所定間隔で切込みが形成された（つまり、折曲しやすいように切込みが形成されている）直線状の折れ線Ｋ１２が互いに平行に２本形成されている。また、側面部１２０と正面部１１０の間の位置における下側には、縦長の切欠部Ｋ１４が形成されている。
【００５１】
また、側面部１３０は、正面部１１０の正面視における左側の端部から折れ線Ｋ１６を介して連設され、方形状を呈し、切込み１３２と切込み１３４ａ、１３４ｂが形成されている。
【００５２】
この側面部１３０の構成は、側面部１２０と前後方向に垂直な仮想的な平面である中心面を介して対称に形成されていて、切込み１３２は、切込み１２２と対称に形成され、横方向に形成された第１切込み１３２ａと、第１切込み１３２ａの端部（左側面視における右側の端部）から下側に向けて縦方向に形成された第２切込み１３２ｂと、第２切込み１３２ｂの下端から横方向で第１切込み１３２ａに対して平行に形成された第３切込み１３２ｃにより、全体に略逆コ字状に形成されている。また、第２切込み１３２ｂの上端から下端に向けての途中位置には、第１切込み１３２ａや第３切込み１３２ｃが設けられている側とは反対側に、横方向に互いに平行な切込み１３４ａ、１３４ｂが形成されている。そして、切込み１３２と、第１切込み１３２ａ及び第３切込み１３２ｃの第２切込み１３２ｂ側とは反対側の端部間を結ぶ仮想状の直線により囲まれた領域が、片部１３６となり、また、切込み１３４ａと、切込み１３４ｂと、第２切込み１３２ｂと、切込み１３４ａ及び切込み１３４ｂの第２切込み１３２ｂ側とは反対側の端部間を結ぶ仮想状の直線によりにより囲まれた領域が、片部１３８となる。切込み１３２の詳しい構成は、切込み１２２と対称である以外は同一の構成であるので、詳しい説明を省略し、また、切込み１３４ａ、１３４ｂの詳しい構成は、切込み１２４ａ、１２４ｂと対称である以外は同一の構成であるので、詳しい説明を省略する。
【００５３】
なお、正面部１１０と側面部１３０の境界位置には、所定間隔で切込みが形成された（つまり、折曲しやすいように切込みが形成されている）直線状の折れ線Ｋ１６が形成されている。また、側面部１３０と正面部１１０の間の位置における下側には、縦長の切欠部Ｋ１８が形成されている。
【００５４】
また、背面部１４０は、側面部１２０の右側面視における右端から折れ線Ｋ２０を介して連設され、方形状を呈している。この背面部１４０の横幅は、内箱部Ａ１を外箱部Ａ２内に収納することができるように、背面部４０の横幅よりも若干大きく形成されている。
【００５５】
なお、側面部１２０と背面部１４０の境界位置には、所定間隔で切込みが形成された（つまり、折曲しやすいように切込みが形成されている）直線状の折れ線Ｋ２０が形成されている。
【００５６】
また、糊代部１４２は、背面部１４０の背面視における右端から折れ線（所定間隔で切込みが形成された（つまり、折曲しやすいように切込みが形成されている）直線状の２本の互いに平行な折れ線Ｋ２２）を介して連設され、縦方向に細長の帯状台形形状を呈している。この糊代部１４２は、図２に示すように、その内側の面が側面部１３０の外側の面に接着されている。
【００５７】
また、正面部１１０と側面部１２０、１３０と背面部１４０の縦幅は同一に形成されていて、内箱部Ａ１の縦幅と同一又は若干大きく形成されている。
【００５８】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。この上面部１７０と上面部１６０との間には隙間が形成されている。また、上面部１８０は、側面部１３０の上端から折れ線を介して連設され、方形状（長方形状）を呈している。この上面部１８０と上面部１６０との間には隙間が形成されている。また、上面部１９０は、背面部１４０の上端から折れ線を介して連設され、方形状（長方形状）を呈している。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。なお、外箱部Ａ２の展開状態においては、図８に示すように、上面部１６０〜１９０における隣接した上面部においては、隙間Ｋ２４、Ｋ２６、Ｋ２８が形成されている。なお、蓋部としての上面部１６０〜１９０はスリーブ状部１０５の上端の各辺から連設されているが、少なくとも１つの上面部から連設されていればよい。
【００５９】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００６０】
次に、内箱部Ａ１と外箱部Ａ２とは、分離部２４、３４の箇所で互いに接着されている。つまり、分離部２４の外側の面と側面部１２０の内側の面とが接着剤その他の接着手段により接着されるとともに、分離部３４の外側の面と側面部１３０の内側の面とが接着剤その他の接着手段により接着されることにより、包装箱Ａが全体に一体に形成される。つまり、分離部２４の外側の面の全部又は一部の領域と側面部１２０の内側の面の間には接着剤層（図示せず）が設けられていて、同様に、分離部３４の外側の面の全部又は一部の領域と側面部１３０の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２６を外側に回動させた際に、同時に分離部２４の下側のミシン目Ｋ２が破れて、分離部２４が内箱部Ａ１から分離し、回動させた片部１２６に接着した状態で片部１２６に従動するように設定されていて、同様に、外箱部Ａ２の片部１３６を外側に回動させた際に、同時に分離部３４の下側のミシン目Ｋ６が破れて、分離部３４が内箱部Ａ１から分離し、回動させた片部１３６に接着した状態で片部１３６に従動するように設定されている。
【００６１】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部Ａ１においては底面部５０のみが露出している。
【００６２】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図９に示すように平板状に折り畳むことができる。
【００６３】
上記構成の包装箱Ａの使用状態について説明する。包装箱Ａを使用しない状況では、上記のように包装箱Ａは平板状に折り畳むことができるので、折り畳んで保管しておく。
【００６４】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００６５】
そして、図１１に示すように、包装箱Ａの上方から複数の被収納物（商品）Ｇを内箱部Ａ１内に収納する。図１１は、ボトル状の商品である例を示しているが、他の被収納物であってもよい。なお、上面部１６０〜１９０は、予め上方に立設した状態になっていて、外箱部Ａ２の上方が開口した状態になっているので、被収納物Ｇはそのまま包装箱Ａの上方から収納すればよい。その後、上面部１６０〜１９０を閉状態にして、接着テープＴを外箱部Ａ２の正面部１１０から上面を経て背面部１４０側にまで接着させることにより、上面部１６０〜１９０を封止する。
【００６６】
以上のようにして、被収納物Ｇを包装箱Ａに包装したら、被収納物Ｇを収納した包装箱Ａを被収納物Ｇを陳列する場所に搬送する。
【００６７】
その後、被収納物Ｇを陳列する場合には、外箱部Ａ２を内箱部Ａ１から分離する。すなわち、図１３に示すように、外箱部Ａ２の側面部１２０の片部１２８を内側に押し込むことにより片部１２６の先端に指を引っかけることができるようにした後に、片部１２６を外側に回動させる。つまり、横方向に形成された第１切込み１２２ａと第３切込み１２２ｃの第２切込み１２２ｂが設けられている側とは反対側の端部間を結ぶ直線状の折れ線（側面部１２０の下辺に対して垂直方向の直線）が回動軸となって片部１２６が水平方向に回動する。
【００６８】
同様に、外箱部Ａ２の側面部１３０の片部１３８を内側に押し込むことにより片部１３６の先端に指を引っかけることができるようにした後に、片部１３６を外側に回動させる。つまり、横方向に形成された第１切込み１３２ａと第３切込み１３２ｃの第２切込み１３２ｂが設けられている側とは反対側の端部間を結ぶ直線状の折れ線（側面部１３０の下辺に対して垂直方向の直線）が回動軸となって片部１３６が水平方向に回動する。なお、片部１２６、１３６が回動する際の回動軸となる折れ線の箇所には、罫線を形成しておかなくても片部１２６、１３６を回動させることにより自然と折れ線が形成されるが、予め該折れ線の箇所に罫線を形成しておいてもよい。
【００６９】
すると、外箱部Ａ２の片部１２６を外側に回動させた際に、同時に分離部２４の下側のミシン目Ｋ２が破れて、分離部２４が内箱部Ａ１から分離し、回動させた片部１２６に接着した状態で片部１２６に従動する。同様に、外箱部Ａ２の片部１３６を外側に回動させた際に、同時に分離部３４の下側のミシン目Ｋ６が破れて、分離部３４が内箱部Ａ１から分離し、回動させた片部１３６に接着した状態で片部１３６に従動する。
【００７０】
そして、図１４に示すように、外箱部Ａ２を上方に引き上げることにより、被収納物Ｇを収納した状態で、かつ、分離部２４、３４が分離した状態の内箱部Ａ１が残るので、その後、突出表示部１４を組み立てる。
【００７１】
すなわち、突出表示部１４を連結部１４ａと側面部２０間の折れ線を介して正面側に回動させ、本体部１２に対して略直角とする。その後、折れ線１５を介して表示部本体１４ｃを表示部本体１４ｂに対して折り曲げて表示部本体１４ｃの裏側の面（組立て前における背面側の面）と表示部本体１４ｂの裏側の面（組立て前における背面側の面）とを対向させる。そして、表示部本体１４ｂと表示部本体１４ｃを密着させて表示部本体１４ｂと表示部本体１４ｃが重なった状態とすることにより、突状部１４ｄ−１が本体部１２の側面部２０側の端部に形成された切欠部に係止し、係止部１４ｄが本体部１２に係止する。以上のようにして、突出表示部１４が組み立てられる。
【００７２】
本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【００７３】
また、本実施例の包装箱Ａによれば、、外箱部Ａ２の側面部１２０、１３０の片部１２８、１３８を内側に押し込むことにより片部１２６、１３６の先端に指を引っかけることができるようにした後に、片部１２６、１３６を外側に回動させて、分離部２４、３４を内箱部Ａ１から分離して外箱部Ａ２を上方に引き上げるのみで陳列することができるので、陳列作業を容易に行なうことができる。
【００７４】
また、特に、本実施例の包装箱Ａにおいては、内箱部Ａ１に商品を陳列する際に、突出表示部１４を正面側に突出させることができるので、包装箱に収納された商品がその陳列場所において陳列されていることをその商品の陳列場所（例えば、お店）を訪れた者に強く知らせることができる。つまり、突出表示部１４をＰＯＰ広告として機能させることができる。特に、上記の例では、表示部本体１４ｂ、１４ｃをボトル形状として商品に関連する形状としているが、このように表示部本体１４ｂ、１４ｃを商品に関連した形状とすることにより商品の種類や内容を具体的に印象付けることができる。特に、突出表示部１４を組み立てた状態では突出表示部１４は正面側に突出して設けられるため、商品を収納した状態の内箱部Ａ１を棚に置いた状態では、棚に載置される物の脱落、値札を設置するためのプライスレールの位置から正面側に超えて突出表示部１４を配置できるので、突出表示部１４をユーザに気づきやすくして販促効果を高めることができる。
【００７５】
また、特に、本実施例の包装箱Ａにおいては、片部１２６、１３６が外箱部Ａ２の側面部１２０、１３０の下端位置よりも上側に設けられ、特に、片部１２６、１３６は、スリーブ状部１０５の下端の縁部に対して垂直方向の回動軸を中心に水平方向に回動するので、商品が収納された収納物を持ち上げて搬送する際に、誤って片部１２６、１３６を回動させてしまうことがない。つまり、仮に、分離部と接着した片部で、回動させるための片部をスリーブ状部１０５の下端から上方に伸びる平行な切込みにより形成した場合には、包装箱Ａを持ち上げる際に該片部の位置を手に持って持ち上げると、誤って 該片部を回動させてしまい、内箱部Ａ１と外箱部Ａ２とを分離させてしまうおそれがあるが、本実施例の包装箱Ａの外箱部Ａ２における片部１２６、１３６は上記のように構成されているので、そのようなおそれがない。
【００７６】
なお、上記の説明において、外箱部Ａ２においては、スリーブ状部１０５を構成する正面部１１０と側面部１２０の境界位置に切欠部Ｋ１４が設けられ、正面部１１０と側面部１３０の境界位置に切欠部Ｋ１８が設けられているとして説明したが、同様の構成の切欠部を側面部１２０と背面部１４０の境界位置や側面部１３０と背面部１４０の境界位置に設けるようにしてもよい。なお、少なくとも、外箱部Ａ２におけるスリーブ状部１０５を構成する各部（正面部１１０と、側面部１２０、１３０と、背面部１４０）の境界位置における少なくとも２つの境界位置に切欠部を設ければ、少なくともスリーブ状部１０５を構成する各部のうちの３つの下端において外側と内側間を移動する余裕ができるので、外箱部Ａ２を内箱部Ａ１に対して容易に引き上げることができる。また、スリーブ状部１０５を構成する各部の境界位置の切欠部は、切込みであってもよい。
【００７７】
また、内箱部Ａ１の底面部５０において、接続片部６０が正面部１０から連設され、接続片部９０が背面部４０から連設されているとしたが、逆に、接続片部６０が背面部４０から連設され、接続片部９０が正面部１０から連設された構成としてもよい。また、本体部７０が側面部２０から連設され、副体部８０が側面部３０から連設されているとしたが、逆に、本体部７０が側面部３０から連設され、副体部８０が側面部２０から連設された構成としてもよい。
【００７８】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【図面の簡単な説明】
【００７９】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】図１のＰ−Ｐ線における断面図である。
【図５】本考案の実施例に基づく包装箱の底面図である。
【図６】内箱部の展開図である。
【図７】図６における要部説明図である。
【図８】外箱部の展開図である。
【図９】包装箱を折り畳んだ状態を示す斜視図である。
【図１０】包装箱を折り畳んだ際の内箱部の折り畳み状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【図１５】包装箱の使用状態を示す斜視図である。
【符号の説明】
【００８０】
Ａ 包装箱
Ａ１ 内箱部
Ａ２ 外箱部
５、１０５ スリーブ状部
１０、１１０ 正面部
１２  本体部
１４  突出表示部
１４ａ  連結部
１４ｂ、１４ｃ  表示部本体
１４ｄ  係止部
２０、３０、１２０、１３０ 側面部
２２、３２ 本体部
２４、３４ 分離部
４０、１４０ 背面部
４２、１４２ 糊代部
５０ 底面部
６０、９０ 接続片部
７０ 本体部
８０ 副体部
１２２、１３２  切込み
１２６、１３６  片部
１６０、１７０、１８０、１９０ 上面部
【図１】
0003147086.tif 000003
【図２】
0003147086.tif 000004
【図３】
0003147086.tif 000005
【図４】
0003147086.tif 000006
【図５】
0003147086.tif 000007
【図６】
0003147086.tif 000008
【図７】
0003147086.tif 000009
【図８】
0003147086.tif 000010
【図９】
0003147086.tif 000011
【図１０】
0003147086.tif 000012
【図１１】
0003147086.tif 000013
【図１２】
0003147086.tif 000014
【図１３】
0003147086.tif 000015
【図１４】
0003147086.tif 000016
【図１５】
0003147086.tif 000017
【手続補正書】
【提出日】平成20年10月6日(2008.10.6)
【手続補正１】
【補正対象書類名】実用新案登録請求の範囲
【補正対象項目名】全文
【補正方法】変更
【補正の内容】
【実用新案登録請求の範囲】
【請求項１】
包装箱であって、
略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部とミシン目を有する切目線を介して分離可能に形成され、１枚のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み切込みにより形成された片部が該外側側面部の他の部分に対して回動可能に形成され、１枚のブランクにより形成された外箱部と、
を有し、
外側側面部における分離部が接着された該片部を回動させることにより、分離部が該片部に接着した状態のまま内箱部から分離し、
該内側正面部が、底面部と内側側面部から連設された内側正面部本体部と、該内側正面部本体部の上側にミシン目を有する切目線を介して連設されるとともに、内側側面部のいずれか一方から連設され該内側側面部との間の折れ線を中心に水平方向に回動可能な突出表示部で、突出表示部に垂直方向に形成された第２折れ線を介して２つ折りとし、突出表示部の内側側面部と接続された側と反対側の先端を内側正面部本体部に係止させることにより正面側に突出した状態となる突出表示部と、を有することを特徴とする包装箱。
【請求項２】
上記突出表示部が、第１表示部本体と、第１表示部本体から上記第２折れ線を介して連設され、該第２折れ線を介して対称形状に形成された第２表示部本体と、第１表示部本体と内側側面部とを連設する連結部と、第２表示部本体の第１表示部本体側とは反対側の端部から連設された係止部とを有し、係止部が内側正面部本体部に係止することを特徴とする請求項１に記載の包装箱。
【請求項３】
第１表示部本体と第２表示部本体とが、収納される商品と関連する形状に形成されていることを特徴とする請求項２に記載の包装箱。
【請求項４】
内側正面部本体部の上端には、突出表示部の先端が係止するための切欠部が形成されていることを特徴とする請求項１又は２又は３に記載の包装箱。
【手続補正２】
【補正対象書類名】明細書
【補正対象項目名】０００６
【補正方法】変更
【補正の内容】
【０００６】
本考案は上記問題点を解決するために創作されたものであって、第１には、包装箱であって、略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部とミシン目を有する切目線を介して分離可能に形成され、１枚のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み切込みにより形成された片部が該外側側面部の他の部分に対して回動可能に形成され（「外側側面部における分離部が接着された領域が該外側側面部の他の部分から破断可能に形成され」としてもよい）、１枚のブランクにより形成された外箱部と、を有し、外側側面部における分離部が接着された該片部を回動させることにより、分離部が該片部に接着した状態のまま内箱部から分離し、該内側正面部が、底面部と内側側面部から連設された内側正面部本体部と、該内側正面部本体部の上側にミシン目を有する切目線を介して連設されるとともに、内側側面部のいずれか一方から連設され該内側側面部との間の折れ線を中心に水平方向に回動可能な突出表示部で、突出表示部に垂直方向に形成された第２折れ線を介して２つ折りとし、突出表示部の内側側面部と接続された側と反対側の先端を内側正面部本体部に係止させることにより正面側に突出した状態となる突出表示部と、を有することを特徴とする。
【手続補正３】
【補正対象書類名】明細書
【補正対象項目名】０００７
【補正方法】変更
【補正の内容】
【０００７】
この第１の構成の包装箱においては、蓋部を開けた状態として、包装箱の上方から複数の被収納物（商品）を内箱部内に収納する。その後、蓋部を閉状態にして、接着テープにより蓋部を封止する。つまり、外箱部の外側正面部から上面を経て外側背面部側にまで接着テープを貼り付けることにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、外側側面部における分離部が接着された片部を回動させることにより、分離部が該片部に接着した状態のまま内箱部から分離させ、外箱部を上方に引き上げることにより、被収納物を収納した状態で、かつ、分離部が分離した状態の内箱部が残るので、被収納物を内箱部に収納した状態で被収納物を陳列する。また、突出表示部を２つ折りとして正面側に突出させる。